(57)【要約】【課題】キャスターの構造を提供する。【解決手段】キャスターの主体の下方において、適当な位置にスライダーとストッパー及び制御体が収納され、その両側に車輪が結合され、制御体を押し下げると、制御体が貫設された中心軸を支点として回転し、回転することともに、その下方にある円形状突出が内側へ移動し、また、それに結合されたスライダーが連動されて内側へ移動し、そして、ストッパーが下へ押され、ストッパーが下へ移動して地面に接触すると、主体の両側にある車輪が空を浮く状態になり、完全にロックされて移動できない。一方、制御体を元の位置に戻すとスライダーが制御体の回転により元の位置に戻り、同時に、上部に形成された斜めな突出がストッパーの内部にある空間の上部に位置する斜面から伸ばした垂直面を掴んで、ストッパーを元の位置に戻させ、これにより、主体の両側にある車輪、再び地面に接触して、移動できるようになる。【選択図】図３
0003124388.tif 000002
【実用新案登録請求の範囲】
【請求項１】
一側に、中心に軸穴が形成される垂直孔が形成され、底部において、一側に、ストッパーを収納するための空間とスライダーが収納されるための槽溝とが形成され、当該槽溝と当該空間とが互いに連通する主体と、
一側に、スライダーが収納されるための、そして、その本身が移動するための空間が形成され、当該空間の上部において、適当な位置に、斜面が形成され、また、当該斜面から適当な方向へ伸ばす垂直面があり、また、当該空間において、スライダーの入り口に、斜面が形成され、当該斜面の隣に、金属棒が収納される円弧槽があるストッパーと、
一側に、２枚の大きさが異なる引受けシートが設けられ、当該２枚の引受けシートにおいて、適当な位置に、それぞれ、中心軸が貫設されるための貫通穴が形成され、また、二つの貫通穴が、互いに対応し、当該やや大きい引受けシートの下方の内側において、適当な位置に、円形状突出が形成され、当該円形状突出の中心に、スライダーを挿設するための円形状槽が形成され、円形状槽内に、適当な大きさである金属シートが収納される制御体と、
一側において、底部に斜面が形成され、当該斜面に対応する上部に、斜めな突出が形成され、もう一側に、内へ向かう凹槽が形成され、当該凹槽において、適当な位置に、突出する円棒が形成されるスライダーと、
それぞれ、主体の両側に位置し、中心に中心軸が貫設されるための軸穴があり、外側に、ワッシャーが収納されるための槽溝がある車輪と、
それぞれ、二つの車輪の外側に設けられる槽溝に収納されるワッシャーと、
が含有され、
ストッパーが、押されることにより、地面に接触し、当該キャスターの両側にある車輪が空を浮く状態になって、完全にロックされて移動できない目的を達成する、
ことを特徴とするキャスターの構造。
【請求項２】
ストッパーの下方において、適当な位置に形成された円弧槽に、金属棒が収納され、制御体の下方にある円形状突出の中心に位置する円形状槽の内部に、金属シートが収納され、スライダーとストッパーとの間に、また、スライダーと制御体との間に、当該金属棒と金属シートが設置されることにより、接触することよる磨耗を防止することを特徴とする請求項１に記載のキャスターの構造。
【請求項３】
ストッパーは、主体の下方に形成された、主体の下方に形成された槽溝と連通する空間に設けられることを特徴とする請求項１に記載のキャスターの構造。
【請求項４】
ストッパーとスライダー、制御体及び主体が結合された後、当該スライダーの斜面が、ストッパー空間のスライダーの入り口に形成された斜面に接触し、スライダーに形成された斜面から伸ばした平面が、ストッパーの金属棒に接触することを特徴とする請求項１に記載のキャスターの構造。
【請求項５】
当該制御体が、上へ押されることにより、元の位置に戻った時、当該スライダーの上部に形成された斜めな突出が、ストッパーの空間の上部に位置する斜面から伸ばした垂直面を掴んで、当該ストッパーを元の位置に戻させることを特徴とする請求項１に記載のキャスターの構造。
【考案の詳細な説明】
【技術分野】
【０００１】
本考案は、キャスターの構造に関し、特に、キャスターの主体の底部において、適当な位置に、ストッパーが設けられ、当該ストッパーの一側にある制御体を押すことにより、当該ストッパーが、連動されて下へ移動して、地面に接触し、当該キャスターの両側の車輪が空を浮く状態になり、移動できなく完全にロックされるものに関する。
【背景技術】
【０００２】
一般のキャスター１は、図１Ｂのように、両側に位置する車輪１０同士の間に、制御体１１が設けられ、また、両側に位置する車輪１０において、適当な位置に、制御体１１の一端が係止するための係止溝１２が設けられ、当該制御体１１は、係止溝１２と接触する一端に、係止棒１３が設けられ、当該制御体１１が釈放される状態で、当該制御体１１の係止棒１３が、係止溝１２の下側に係止され、この時、当該キャスター１の両側にある車輪１０は、スムーズに地面を摺動でき、また、図１Ｂのように、当該制御体１１が押し下げられると、係止棒１３が、係止溝１２の上側に係止され、車輪１０が、それによって制限されてその位置に固定され、キャスター１が、地面を摺動できなくなり、このような、制御体１１の係止棒１３で車輪１０を係止することにより、移動できなくなる構造は、車輪１０が、軽視されても、依然として、地面に接触するため、ユーザーが力を入れ込んで引張ると、当該キャスター１が移動して完全にロックされる状態にならず、また、当該制御体１１が良く使われると、その係止棒１３と係止溝１２との接触面が、よく接触することにより磨耗されて、元のロック機能が失ってしまう。
【考案の開示】
【考案が解決しようとする課題】
【０００３】
本考案の目的は、キャスターの主体において、底部にストッパーを設けることにより、キャスターの両側に位置する車輪が、空を浮くようになって移動できなくなって完全にロックされるキャスターの構造を提供する。
【課題を解決するための手段】
【０００４】
請求項１の考案は、一側に、中心に軸穴が形成される垂直孔が形成され、底部において、一側に、ストッパーを収納するための空間とスライダーが収納されるための槽溝とが形成され、当該槽溝と当該空間とが互いに連通する主体と、一側に、スライダーが収納されるための、そして、その本身が移動するための空間が形成され、当該空間の上部において、適当な位置に、斜面が形成され、また、当該斜面から適当な方向へ伸ばす垂直面があり、また、当該空間において、スライダーの入り口に、斜面が形成され、当該斜面の隣に、金属棒が収納される円弧槽があるストッパーと、一側に、２枚の大きさが異なる引受けシートが設けられ、当該２枚の引受けシートにおいて、適当な位置に、それぞれ、中心軸が貫設されるための貫通穴が形成され、また、二つの貫通穴が、互いに対応し、当該やや大きい引受けシートの下方の内側において、適当な位置に、円形状突出が形成され、当該円形状突出の中心に、スライダーを挿設するための円形状槽が形成され、円形状槽内に、適当な大きさである金属シートが収納される制御体と、一側において、底部に斜面が形成され、当該斜面に対応する上部に、斜めな突出が形成され、もう一側に、内へ向かう凹槽が形成され、当該凹槽において、適当な位置に、突出する円棒が形成されるスライダーと、それぞれ、主体の両側に位置し、中心に中心軸が貫設されるための軸穴があり、外側に、ワッシャーが収納されるための槽溝がある車輪と、それぞれ、二つの車輪の外側に設けられる槽溝に収納されるワッシャーと、が含有され、
ストッパーが、押されることにより、地面に接触し、当該キャスターの両側にある車輪が空を浮く状態になって、完全にロックされて移動できない目的を達成する、ことを特徴とするキャスターの構造である。
【０００５】
請求項２の考案は、ストッパーの下方において、適当な位置に形成された円弧槽に、金属棒が収納され、制御体の下方にある円形状突出の中心に位置する円形状槽の内部に、金属シートが収納され、スライダーとストッパーとの間に、また、スライダーと制御体との間に、当該金属棒と金属シートが設置されることにより、接触することよる磨耗を防止することを特徴とする請求項１に記載のキャスターの構造である。
【０００６】
請求項３の考案は、ストッパーが、主体の下方に形成された、主体の下方に形成された槽溝と連通する空間に設けられることを特徴とする請求項１に記載のキャスターの構造である。
【０００７】
請求項４の考案は、ストッパーとスライダー、制御体及び主体が結合された後、当該スライダーの斜面が、ストッパー空間のスライダーの入り口に形成された斜面に接触し、スライダーに形成された斜面から伸ばした平面が、ストッパーの金属棒に接触することを特徴とする請求項１に記載のキャスターの構造である。
【０００８】
請求項５の考案は、当該制御体が、上へ押されることにより、元の位置に戻った時、当該スライダーの上部に形成された斜めな突出が、ストッパーの空間の上部に位置する斜面から伸ばした垂直面を掴んで、当該ストッパーを元の位置に戻させることを特徴とする請求項１に記載のキャスターの構造である。
【考案を実施するための最良の形態】
【０００９】
本考案のキャスター２は、図２乃至４を参照しながら、主として、主体２０と、ストッパー２１と、スライダー２２と、制御体２３と、二つの車輪２４及び二つのワッシャー２５とが含有され、当該主体２０は、一側に、中心に軸穴２０１が形成される垂直孔２００が形成され、底部において、一側に、ストッパー２１を収納するための空間２０２とスライダー２２が収納される槽溝２０３とが形成され、当該槽溝２０３と当該空間２０２とが互いに連通し、ストッパー２１は、一側に、スライダー２２が収納されるための、そして、その自身が移動するための空間２１０が形成され、当該空間２１０の上部において、適当な位置に、斜面２１１が形成され、また、当該斜面２１１から適当な方向へ伸ばす垂直面２１４があり、また、当該空間２１０において、スライダー２２の入り口に、斜面２１５が形成され、当該斜面２１５の隣に円弧槽２１２があり、当該円弧槽２１２内に、スライダー２２と接触することによる磨耗を防止するための金属棒２１３が収納され、制御体２３は、一側に、２枚の大きさが異なる引受けシート２３０ａ、２３０ｂが設けられ、当該２枚の引受けシート２３０ａ、２３０ｂにおいて、適当な位置に、それぞれ、中心軸２６が貫設されるための貫通穴２３４ａ、２３４ｂが形成され、また、二つの貫通穴２３４ａ、２３４ｂが、互いに対応し、当該主体２０の軸穴２０１の両側に位置付けられる時、当該やや大きい引受けシート２３０ａが、主体２０の下方に設けられた空間２０２の開口側に位置し、また、当該やや大きい引受けシート２３０ａの下方の内側において、適当な位置に、円形状突出２３２が形成され、当該円形状突出２３２の中心に、スライダー２２を挿設するための円形状槽２３３が形成され、円形状槽２３３内に、スライダー２２と接触することによる磨耗を防止するための、適当な大きさである金属シート２３５が収納され、スライダー２２は、一側において、底部に斜面２２０が形成され、当該斜面２２０に対応する上部に、斜めな突出２２１が形成され、もう一側に、内へ向かう凹槽２２２が形成され、当該凹槽２２２において、適当な位置に、突出する円棒２２３が形成され、二つの車輪２４は、それぞれ、主体２０の両側に位置し、中心に中心軸２６が貫設されるための軸穴２４０があり、外側に、ワッシャー２５が収納されるための槽溝２４１があり、二つのワッシャー２５は、それぞれ、二つの車輪２４の外側に設けられた槽溝２４１に収納され、ストッパー２１を、主体２０の下方に形成された空間２０２に入れ、制御体２３の引受けシート２３０ａ、２３０ｂが、主体２０の両側に位置するようにすると、当該ストッパー２１の内部にある空間２１０が、主体２０に形成された槽溝２０３と連通になり、また、スライダー２２の一端の突出する円棒２２３を、制御体２３の底部にある円形状突出２３２の中心に形成される円形状槽２３３に挿設し、そして、スライダー２２が、主体２０に形成される槽溝２０３内に位置するようにすると、当該スライダー２２に形成された斜面２２０が、ストッパー２１に形成された空間２１０のスライダー２２の入り口にある斜面２１５と接触し、また、当該スライダー２２に形成された斜面２２０の前方にある平面が、ストッパー２１の金属棒２１３と接触し、中心軸２６を、主体２０両側にある車輪２４と制御体２３の引受けシート２３０ａ、２３０ｂに形成された貫通穴２３４ａ、２３４ｂに貫設して、両車輪２４の外側に、ワッシャー２５を実装して、車輪カバー２７を係合すると、キャスター２が完成される。
【００１０】
使用する時、図４、５のように、当該制御体２３の一側にある押し下げ面２３１を押し下げると、当該制御体２３が、中心軸２６を軸心として回転し、これにより、当該制御体２３のやや大きい引受けシート２３０ａの底部にある円形状突出２３２が、内側へ移動し、そして、当該円形状突出２３２の中心にある円形状槽２３３に挿設されたスライダー２２が連動されて内側へ押され、この時、当該スライダー２２の斜面２２０とストッパー２１の斜面２１５とが接触することにより、簡単にストッパー２１の内部にある空間２１０へ向かって移動するとともに、当該ストッパー２１が、主体２０の下方へ向かって押され、また、当該ストッパー２１が、下へ移動して地面に接触すると、当該主体２０の両側にある車輪２４が、空を浮いて、完全にロックされて安定の状態になり、当該制御体２３が元の位置に戻されると、当該スライダー２２が、制御体２３のやや大きい引受けシート２３０ａの底部にある円形状突出２３２によって連動されて外側へ移動し、当該スライダー２２が、外へ移動するとともに、上部に形成された斜めな突出２２１が、ストッパー２１の空間の上部に位置する斜面２１１から伸ばした垂直面２１４を掴んで、当該ストッパー２１を元の位置に戻させ、図６のように、車輪２４が、再び地面に接触して、移動できるようになる。
【００１１】
上記の設計によれば、次の効果が得られる。
【００１２】
本考案は、ストッパー２１が、押すことにより、地面に接触し、車輪２４が、空を浮く状態になるため、完全にロックして移動できない目的が達成でき、従来の、ロックされても移動する欠点を改善できる。
【００１３】
本考案は、当該ストッパー２１とスライダー２２とが接触する、磨耗し易い位置と、当該制御体２３とスライダー２２とが接触する、磨耗し易い位置に、それぞれ、金属棒２１３と金属シート２３５が設置されるため、当該金属棒２１３と金属シート２３５により、磨耗が低減され、長期的に使用しても、磨耗による機能不可を防止できる。
【図面の簡単な説明】
【００１４】
【図１Ａ】従来の断面図
【図１Ｂ】従来の動作の概念図
【図２】本考案の立体図
【図３】本考案の立体分解図
【図４】本考案の断面図
【図５】本考案の動作の概念図
【図６】本考案の局部の概念図
【符号の説明】
【００１５】
１            キャスター
１０          車輪
１１          制御体
１２          係止溝
１３          係止棒
２            キャスター
２０          主体
２００        垂直孔
２０１        軸穴
２０２        空間
２０３        槽溝
２１          ストッパー
２１０        空間
２１１        斜面
２１２        円弧槽
２１３        金属棒
２１４        垂直面
２１５        斜面
２２          スライダー
２２０        斜面
２２１        斜めな突出
２２２        凹槽
２２３        円棒
２３          制御体
２３０ａ      引受けシート
２３０ｂ      引受けシート
２３１        押し下げ面
２３２        円形状突出
２３３        円形状槽
２３４ａ      貫通穴
２３４ｂ      貫通穴
２３５        金属シート
２４          車輪
２４０        軸穴
２４１        槽溝
２５          ワッシャー
２６          中心軸
２７          車輪カバー
【図１Ａ】
0003124388.tif 000003
【図１Ｂ】
0003124388.tif 000004
【図２】
0003124388.tif 000005
【図３】
0003124388.tif 000006
【図４】
0003124388.tif 000007
【図５】
0003124388.tif 000008
【図６】
0003124388.tif 000009